(57)【要約】【課題】  操作パネル等の機器搭載体の角度を、部品や機構を別途に備えずに低コストで可変させ得る機器の操作パネル、及びこれを用いた機器を提供する。【解決手段】  合成樹脂材等からなる成型品のベース体２と機器搭載体３で構成する。ベース体２の搭載部７は、円弧面状の背面部９と三角形状の一対の側面部１０、１０を有する。背面部９に、機器搭載体３の固定部を設けネジ止め可能とする。機器搭載体３は、円弧面状の背面部１７と、三角形状の一対の側面部１８、１８と、表示パネル５、６等を搭載する上面部１９とからなり、下方を開口させた蓋状のものとする。側面部１８にはピン２２を設け、ベース体２の側面部１０のピン支持部１０ａに嵌着可能とする。これによって機器搭載体３をベース体２の搭載部７に対して上下方向で回動可能に支持し、所定の高さ位置で固定可能とする。【選択図】        図１
2005085936.tif 000002
【特許請求の範囲】
【請求項１】
ベース体と、表示機器や操作機器等を搭載して前記ベース体に装着する機器搭載体とからなり、前記ベース体が前記機器搭載体を装着する搭載部を備え、前記機器搭載体の前縁側部位を、前記搭載部の前縁側部位へ前後方向または略前後方向で摺動可能に接触させて支持し、前記機器搭載体の背面側部位を、前記搭載部の背面側部位へ上下方向で位置可変かつ該上下方向位置を固定可能に支持し、前記機器搭載体上面の角度を可変としてなることを特徴とする機器の操作パネル。
【請求項２】
請求項１の機器の操作パネルにおいて、前記搭載部と前記機器搭載体とが、前縁側が低く、背面側が高い互いに対応する形状を有することを特徴とする機器の操作パネル。
【請求項３】
請求項２の機器の操作パネルにおいて、前記搭載部の背面部の外周面形状が、該搭載部の前縁側部位を中心とし上下方向に沿う円弧の一部をなす形状であり、前記機器搭載体の背面側部の外周形状が、前記搭載部の背面部の外周面と対応する形状をなし、該機器搭載体の背面側部を前記搭載部の背面部の外側に装着してなることを特徴とする機器の操作パネル。
【請求項４】
請求項２または３の機器の操作パネルにおいて、前記機器搭載体の前縁部位下面側に、該前縁部位の全長にわたって上方へ凹となる部位を設け、前記搭載部の前縁部位上面側に、該前縁部位の全長にわたって上方へ凸となる部位を設け、前記機器搭載体の前記凹となる部位の最背面側部位を、前記搭載部の前記凸となる部位の最背面側部位よりも背面側に配してなることを特徴とする機器の操作パネル。
【請求項５】
請求項４の機器の操作パネルにおいて、前記機器搭載体の前記凹となる部位よりも前側部位が、前記搭載部の前記凸となる部位の最上部に対して上方から接触可能に配してなることを特徴とする機器の操作パネル。
【請求項６】
請求項４または５のいずれかの機器の操作パネルにおいて、前記搭載部と前記機器搭載体とが、それぞれ前記背面部に連なる一対の側面部を有し、これら側面部が、前縁側が低く、背面側が高い互いに対応する形状を有し、少なくとも前記機器搭載体が、前記背面部及び一対の側面部とで囲んで下方を開口させた蓋状部材であり、前記凹となる部位を前記側面部の前縁側に設けてなることを特徴とする機器の操作パネル。
【請求項７】
請求項６の機器の操作パネルにおいて、前記搭載部が、前記背面部及び一対の側面部とで囲んで上方を開口させた凹状部位と、該凹状部位の前縁側に位置する前記凸となる部位を含むことを特徴とする機器の操作パネル。
【請求項８】
請求項１ないし７のいずれかの機器の操作パネルにおいて、前記搭載部の背面側部位に、前記搭載部の背面側部位への固着部を高さを異ならせて二以上設けてなることを特徴とする機器の操作パネル。
【請求項９】
請求項６ないし８のいずれかの機器の操作パネルにおいて、前記ベース体と前記機器搭載体とがそれぞれ合成樹脂材等からなる成型品であることを特徴とする機器の操作パネル。
【請求項１０】
請求項１ないし９のいずれかの機器の操作パネルを用いて操作部を形成してなることを特徴とする機器。
【発明の詳細な説明】
【技術分野】
【０００１】
本発明は、機器の操作パネル、及びこれを用いた機器に関する。
【背景技術】
【０００２】
従来の機器の操作パネルは、タッチパネル等の操作機器を搭載するための機器搭載体と、これを装着するためのパネル等細部を有するベース体とで構成し、操作者が操作機機を見やすくする等のために、機器搭載体の角度、すなわち搭載したタッチパネル等の操作機器の上面の角度を変化させ得るようにしているものがある。すなわち、操作機器の上面の角度を変えることによって、さまざまな身長の操作者の目線の違いによらず、また設置環境による照明の映り込み等の環境条件によらず、操作機器を見やすくできるようにしている。
【０００３】
このようなタイプの操作パネルでは、従来、機器搭載体の角度を変えるための部品や機構を、機器搭載体やベース体とは別に備えている。したがって、別部品、別機構を使用することでコストがその分だけ掛かることはもちろんであるが、近年叫ばれている環境対策としての部品のリサイクルも面倒である。
【発明の開示】
【発明が解決しようとする課題】
【０００４】
本発明は、このような従来の問題点にかんがみ、操作パネル等の機器搭載体の角度を変えるための部品や機構を別途に備える必要がなくてコストを低減させることができ、環境対策としての部品リサイクルも簡単に行い得る機器の操作パネル、及びこれを用いた機器を提供することを目的とする。
【課題を解決するための手段】
【０００５】
本発明の請求項１に係る機器の操作パネルは、ベース体と、表示機器や操作機器等を搭載して前記ベース体に装着する機器搭載体とからなり、前記ベース体が前記機器搭載体を装着する搭載部を備え、前記機器搭載体の前縁側部位を、前記搭載部の前縁側部位へ前後方向またはほぼ前後方向で摺動可能に接触させて支持し、前記機器搭載体の背面側部位を、前記搭載部の背面側部位へ上下方向で位置可変かつ該上下方向位置を固定可能に支持し、前記機器搭載体上面の角度を可変としてなることを特徴とする。
【０００６】
同請求項２に係るものは、請求項１の機器の操作パネルにおいて、前記搭載部と前記機器搭載体とが、前縁側が低く、背面側が高い互いに対応する形状を有することを特徴とする。
【０００７】
同請求項３に係るものは、請求項２の機器の操作パネルにおいて、前記搭載部の背面部の外周面形状が、該搭載部の前縁側部位を中心とし上下方向に沿う円弧の一部をなす形状であり、前記機器搭載体の背面側部の外周形状が、前記搭載部の背面部の外周面と対応する形状をなし、該機器搭載体の背面側部を前記搭載部の背面部の外側に装着してなることを特徴とする。
【０００８】
同請求項４に係るものは、請求項２または３の機器の操作パネルにおいて、前記機器搭載体の前縁部位下面側に、該前縁部位の全長にわたって上方へ凹となる部位を設け、前記搭載部の前縁部位上面側に、該前縁部位の全長にわたって上方へ凸となる部位を設け、前記機器搭載体の前記凹となる部位の最背面側部位を、前記搭載部の前記凸となる部位の最背面側部位よりも背面側に配してなることを特徴とする。
【０００９】
同請求項５に係るものは、請求項４の機器の操作パネルにおいて、前記機器搭載体の前記凹となる部位よりも前側部位が、前記搭載部の前記凸となる部位の最上部に対して上方から接触可能に配してなることを特徴とする。
【００１０】
同請求項６に係るものは、請求項４または５のいずれかの機器の操作パネルにおいて、前記搭載部と前記機器搭載体とが、それぞれ前記背面部に連なる一対の側面部を有し、これら側面部が、前縁側が低く、背面側が高い互いに対応する形状を有し、少なくとも前記機器搭載体が、前記背面部及び一対の側面部とで囲んで下方を開口させた蓋状部材であり、前記凹となる部位を前記側面部の前縁側に設けてなることを特徴とする。
【００１１】
同請求項７に係るものは、請求項６の機器の操作パネルにおいて、前記搭載部が、前記背面部及び一対の側面部とで囲んで上方を開口させた凹状部位と、該凹状部位の前縁側に位置する前記凸となる部位を含むことを特徴とする。
【００１２】
同請求項８に係るものは、請求項１ないし７のいずれかの機器の操作パネルにおいて、前記搭載部の背面側部位に、前記搭載部の背面側部位への固着部を高さを異ならせて二以上設けてなることを特徴とする。
【００１３】
同請求項９に係るものは、請求項６ないし８のいずれかの機器の操作パネルにおいて、前記ベース体と前記機器搭載体とがそれぞれ合成樹脂材等からなる成型品であることを特徴とする。
【００１４】
同請求項１０に係る機器は、請求項１ないし９のいずれかの機器の操作パネルを用いて操作部を形成してなることを特徴とする。
【発明の効果】
【００１５】
本発明に係る機器の操作パネル、及びこれを用いた機器は、機器搭載体の角度を変えるための部品や機構を別途に備える必要がなく、したがってその分のコストを低減させることができ、部品リサイクルも簡単に行い得るので環境対策としても有効である。
【発明を実施するための最良の形態】
【００１６】
以下本発明を実施するための最良の形態を、図に示す実施例を参照して説明する。なお以下では、本発明に係る機器の操作パネルを複写機等の画像形成装置に用いたものとして説明するが、本発明の操作パネルは、もちろん画像形成装置だけでなく、多くの種類の機器の操作パネルに適用でき、図示及び実施例のものに限定されない。
【実施例】
【００１７】
図１は本発明に係る機器の操作パネルとそれを搭載した機器の一実施例を示す斜視図（Ａ）及び操作パネルの分解斜視図（Ｂ）である。本実施例の操作パネル１は、ベース体２と機器搭載体３とからなり、ベース体２は複写機やプリンタ等の画像形成装置４に搭載し、あるいは画像形成装置４のケースの一部をなすように搭載するものであり、機器搭載体３は、その上面に表示パネル５、６等を搭載してベース体２上に装着するものである。
【００１８】
ベース体２と機器搭載体３は、それぞれ合成樹脂材等からなる成型品で構成することができ、後述のような形状、構造を有するため、それぞれが、成形型からのいわゆる上下の純抜きが可能なものとなっている。もちろん種々の成形法により形成したものを用いることができる。
【００１９】
ベース体２は、機器搭載体３を装着する搭載部７を備える。この搭載部７は、ベース体２の上面に上方を開口させて凹状に形成した部位８（以下では凹部８という）内に、背面部９と一対の側面部１０、１０を立ち上げ、かつベース体２の前縁２ａに連なる前縁部１１を含んで構成してある。側面部１０は、前縁部１１側が低く、背面部９側が高い三角形状を有する。また背面部９は、側面部１０、１０の最も背面側の部位を連結するように位置し、背面側の外周面形状は、前縁部１１近傍部位に中心が位置して上下方向に沿う円弧の一部をなす形状としてある。なおこの背面部９の外形状は、図の例は円弧に近似したものとしてあり、本発明においては真の円弧形状である必要はなく、同等あるいは類似、近似した形状であればよい。
【００２０】
図２は、ベース体２の背面及び搭載部７の背面部９の外観を示す斜視図である。図示のように搭載部７の背面部９には、その中央部及び両端部に、機器搭載体３の固定部が設けてあり、各固定部は上下方向に３個一列の孔１３・・を備えている。また図３は、図２に示す部位の断面図である。図示のようにベース体２の背面部９内側には、上方へ突出するようにベース体２の凹部８に設けた板金材１５が伸び、搭載部７の背面部９に設けた孔１３と対応する位置に上下方向に３個一列のネジ孔１６が設けてある。また側面部１０の前縁２ａ側の外面には、後述するように機器搭載体３の回動支点となる凹状のピン支持部１０ａが設けてある。このピン支持部１０ａは、図では一方の側面部１０についてのみ示すが、もちろん両側面部１０ともに設けてある。
【００２１】
機器搭載体３は、背面部１７と、一対の側面部１８、１８と、表示パネル５、６等を搭載する上面部１９とからなり、下方を開口させて搭載部７に被せて装着し得るようにした蓋状の形状、構造を有する。背面部１７と、一対の側面部１８、１８は、それぞれが搭載部７の背面部９と側面部１０の外周面と対応する形状を有する。また機器搭載体３は搭載部７よりも若干大きい形状寸法としてあり、このため機器搭載体３の背面部１７を搭載部７の背面部９の外側に、かつ側面部１８、１８をそれぞれ搭載部７の側面部１０、１０の外側に上方から嵌着可能になっている。
【００２２】
また機器搭載体３の背面部１７には、孔２０・・が３個設けてある。これらの孔２０は、搭載部７の背面部９に設けた孔１３（及び板金材１５のネジ孔１６）と対応して位置し、それぞれにネジ２１を差し込んで孔１３を通してネジ孔１６にねじ込むことにより、機器搭載体３の背面部１７側の位置、姿勢を固定できるようになっている。
【００２３】
さらに、機器搭載体３の側面部１８には、前縁３ａよりも若干背面側の内側面にピン２２が設けてある。このピン２２は、上述したベース体２の側面部１０のピン支持部１０ａに嵌着するもので、これによって機器搭載体３は上下方向で回動可能に支持される。
【００２４】
すなわち、ネジ２１を孔２０、１３及びネジ孔１６から抜いてピン支持部１０ａ及びピン２２を回動中心として機器搭載体３を回動させれば、その背面部１７の高さ位置、上面部１９の面がなす姿勢を変更でき、再びネジ２１をいずれかの孔１３からネジ孔１６にねじ込めば、その変更した位置、姿勢で機器搭載体３を固定できるようになっている。すなわち表示パネル５等の角度調整を可能としてある。また機器搭載体３の上下回動にあたっては、機器搭載体３の背面部１７と搭載部７の背面部９とが、ともに円弧の一部をなす形状としてあるため、機器搭載体３の側面部１８の内面は、搭載部７の側面部９の外面とほぼ一定の間隔で上下回動可能であり、回動が妨げられることはない。もちろん、図３中に想像線Ｘで示すように機器搭載体３の背面部１７の外形状を構成しても、回動の障害にならなければ良い。なお機器搭載体３の上面部１９に設けた開口１９ａは、表示パネル５等の機器を装着するためのものである。
【００２５】
図５は本発明の他の実施例を示す断面図である。本実施例では、機器搭載体３の前縁３ａの位置を、固定位置とするのではなく、ベース体２の凹部８の側面にガイドレールあるいはガイド溝８ａ（以下、ガイド８ａという）を設け、そこに機器搭載体３の側面部１８に設けたピン２２（先の実施例とは位置が異なり得る）を嵌着し、機器搭載体３の上下回動の支点となるようにしたものである。
【００２６】
詳細には以下のような形状構造とする。まず、側縁部１８の前縁側に上方へ凹となる部位１８ａ（以下、凹部１８ａという）を形成し、機器搭載体３の前縁３ａの下面側をこれに対応し、あるいは凹部１８ａよりも下方へ突出しない形状とする。またこれらに対応する部位である搭載部７の前縁、具体的には凹部８の前縁側からベース体２の前縁２ａ側にかけての部位（先の実施例では搭載部７の前縁部１１に相当する部位）がベース体２の前縁全長にわたって上方へ凸となる形状とする（以下、凸部２ｂという）。そして凹部８から凸部２ｂへと連なる面の形状が、凹部１８ａとその近傍部位の形状と対応する形状をなすようにする。なお機器搭載体３を最も下方へ回動させた状態でも前縁３ａが凸部２ｂ上に位置するように構成する（図５に「３０°」として示した状態）。
【００２７】
このような構成として機器搭載体３を上下に回動させると、機器搭載体３はピン２２を回動中心とするが、機器搭載体３が上方へ回動するほどピン２２はガイド８ａ内をベース体２の前縁２ａ側へとスライドして移動し（、これに伴って機器搭載体３ａの前縁３ａがベース体２の前縁２ａ側のほうへとスライドする（図５に「３７°」、「４４°」として示した状態）。図からわかるように機器搭載体３の前縁３ａの下面と、ベース体２の前縁２ａ側の部位の上面との隙間は、非常に小さく、ほぼ一定に保たれる。この部位に隙間が空くと外観が悪化するが、本例ではこれを防止できる。また隙間から埃等が侵入しにくくなる。
【００２８】
すなわち、上述したいずれの実施例においても、表示パネル５等を搭載した部品を、別部品の回転機構部材（ヒンジ、ダンパー等）を用いずに、表示パネル５等を搭載するケースであり一体成形品である機器搭載体３自体を回動させて角度を可変させ得る。回動用の別部品を用いないので、コスト的に大きなメリットがあることはもちろんである。もちろん一体成形した機器搭載体３をリサイクルすることも容易である。
【００２９】
またいずれの実施例においても、前縁側と背面側の２箇所で固定するため、操作部としての強度も十分に得られるし、操作パネルの角度を可変させることによって、あらゆる身長の操作者の目線角度に対応でき、したがって設置環境による照明の映り込み等による操作パネルの見にくさを回避できるため、ユニバーサルデザイン、グローバルデザインとし得る。
【産業上の利用可能性】
【００３０】
本発明は、コピー機能、ファクシミリ機能、プリンタ機能等を単独にあるいは複合して有する画像形成装置や、ＡＴＭ機、自動車やオートバイ等の車両用の操作部、キャッシュディスペンサ、洗濯機、電子レンジ等の各種機器の操作部、ディスプレイ用産業機器、看板、標識等の操作パネルに適用できる。
【図面の簡単な説明】
【００３１】
【図１】本発明に係る機器の操作パネルとそれを搭載した機器の一実施例を示す斜視図（Ａ）及び操作パネルの分解斜視図（Ｂ）
【図２】図１の実施例のベース体の背面及び搭載部の背面部の外観を示す斜視図
【図３】図２に示す部位の断面図
【図４】図１の実施例の背面側の斜視部分図
【図５】本発明の他の実施例を示す断面図
【符号の説明】
【００３２】
１：操作パネル
２：ベース体
２ａ：ベース体の前縁
２ｂ：凸部
３：機器搭載体
４：画像形成装置
５、６：表示パネル
７：搭載部
８：凹部
８ａ：ガイド
９：背面部
１０：側面部
１１：搭載部の前縁部
１３：孔
１５：板金材
１６：ネジ孔
１０ａ：ピン支持部
１７：背面部
１８：側面部
１８ａ：凹部
１９：上面部
１９ａ：開口
２０：孔
２１：ネジ
２２：ピン
【図１】
2005085936.tif 000003
【図２】
2005085936.tif 000004
【図３】
2005085936.tif 000005
【図４】
2005085936.tif 000006
【図５】
2005085936.tif 000007